(57)【要約】【課題】  ソフトウェアによりノイズ除去を行うビデオデータ処理構造を提供する。【解決手段】  ビデオデコーダ２２０およびデジタルデータ処理システム２４０を含み、デジタルデータ処理システム２４０内でノイズ除去プログラム２４４を執行する。ビデオデコーダは、外部からのアナログビデオデータをデジタルビデオデータへ変換してから、デジタルデータ処理システム２４０上のデータ伝送インタフェース２４２によりこれらデジタルビデオデータをデジタルデータ処理システム２４０へ送信するとともに、直ちにノイズ除去プログラム２４４によりデジタルビデオデータ中のノイズデータを除去する。【選択図】  図２
2006140983.tif 000002
【特許請求の範囲】
【請求項１】
ビデオデコーダ、デジタルデータ処理システムおよびノイズ除去プログラムを備えるビデオデータ処理構造であって、
前記ビデオデコーダは、アナログビデオレコーダ、アナログ撮影装置または復調器から提供されたアナログビデオデータを受信し、該アナログビデオデータをデジタルビデオデータへ変換し、
前記デジタルデータ処理システムは、データ伝送インタフェースから前記デジタルビデオデータを受信し、
前記ノイズ除去プログラムは、前記デジタルデータ処理システム中で実行され、前記デジタルビデオデータ中のノイズデータを除去することを特徴とするビデオデータ処理構造。
【請求項２】
前記復調器は、アナログビデオアンテナからのアナログテレビ信号を受信し、復調するときに前記アナログビデオデータを出力することを特徴とする請求項１記載のビデオデータ処理構造。
【請求項３】
前記デジタルデータ処理システムは、パーソナルコンピュータシステムまたはノートブック型コンピュータシステムであることを特徴とする請求項１記載のビデオデータ処理構造。
【請求項４】
前記データ伝送インタフェースは、ＰＣＩまたはＵＳＢの規格標準に合致することを特徴とする請求項１記載のビデオデータ処理構造。
【請求項５】
前記ノイズ除去プログラムは演算法を実行し、該演算法は前記デジタルビデオデータ中の前記ノイズデータを除去することにより、前記ノイズ除去プログラムにリアルタイムの処理能力を持たせ、前記ノイズ除去プログラム中の作業パラメータ値をプログラム設定することにより、前記ノイズ除去プログラムのノイズ除去能力を調整することを特徴とする請求項１記載のビデオデータ処理構造。
【請求項６】
前記ノイズ除去プログラムにより処理された前記デジタルビデオデータを、デジタル画像として表示する前記デジタルデータ処理システム中の表示ユニットをさらに備えることを特徴とする請求項１記載のビデオデータ処理構造。
【請求項７】
前記ノイズ除去プログラムにより処理された前記デジタルビデオデータを保存する前記デジタルデータ処理システム中の記憶ユニットをさらに備えることを特徴とする請求項１記載のビデオデータ処理構造。
【請求項８】
前記ノイズ除去プログラムは、前記記憶ユニットからのデジタルビデオデータを受信して処理することを特徴とする請求項７記載のビデオデータ処理構造。
【請求項９】
前記記憶ユニットからの前記デジタルビデオデータを、デジタル画像として表示する前記デジタルデータ処理システム中の表示ユニットをさらに備えることを特徴とする請求項７記載のビデオデータ処理構造。
【請求項１０】
アナログビデオレコーダ、アナログ撮影装置または復調器からアナログビデオデータが提供されるステップと、
前記アナログビデオデータをデジタルビデオデータへ変換するステップと、
前記デジタルビデオデータ中のノイズデータをノイズ除去プログラムにより除去するステップと、
を含むことを特徴とするビデオデータ処理方法。
【請求項１１】
前記復調器は、アナログビデオアンテナからのアナログテレビ信号を受信し、復調するときに前記アナログビデオデータを出力することを特徴とする請求項１０記載のビデオデータ処理方法。
【請求項１２】
前記ノイズ除去プログラムは演算法を実行し、該演算法は前記デジタルビデオデータ中の前記ノイズデータを除去することにより、前記ノイズ除去プログラムにリアルタイムの処理能力を持たせ、前記ノイズ除去プログラム中の作業パラメータ値をプログラム設定することにより、前記ノイズ除去プログラムのノイズ除去能力を調整することを特徴とする請求項１０記載のビデオデータ処理方法。
【請求項１３】
デジタルデータ処理システム、記憶ユニット、ノイズ除去プログラムおよび表示ユニットを備えるビデオデータ処理構造であって、
前記記憶ユニットは、前記デジタルデータ処理システム中に設置され、ノイズデータを含むデジタルビデオデータを出力し、
前記ノイズ除去プログラムは、前記デジタルデータ処理システム中で実行され、前記デジタルビデオデータ中の前記ノイズデータを除去し、
前記表示ユニットは、前記デジタルデータ処理システム中に設置され、前記ノイズ除去プログラムにより処理された前記デジタルビデオデータをデジタル画像として表示することを特徴とするビデオデータ処理構造。
【請求項１４】
ノイズデータを含むデジタルビデオデータが提供されるステップと、
前記デジタルビデオデータ中の前記ノイズデータを、ノイズ除去プログラムにより除去するステップと、
前記ノイズ除去プログラムにより処理された前記デジタルビデオデータをデジタル画像として表示するステップと、
を含むことを特徴とするビデオデータ処理方法。
【発明の詳細な説明】
【技術分野】
【０００１】
本発明はビデオデータの処理システム構造に関し、特にノイズ除去プログラムを有するビデオデータ処理構造に関する。
【背景技術】
【０００２】
マルチメディアデータの統合は今日の科学技術の趨勢であり、いわゆるマルチメディアデータには一般にデータ、通信および各種オーディオビジュアルのデータ信号が含まれ、これらのデータ信号は一つのプラットフォーム上で統合され、処理および使用を共同で行い、最終的なデータコンテンツをより豊かで生き生きとしたものにすることができる。
【０００３】
例えば、一台のパーソナルコンピュータでデジタルのデータ、音声、映像および写真などのデータを統合してデジタル画像クリップに編集してインターネットで流布することが簡単にできることからも分かるように、デジタルデータは処理および伝送を容易に行うことが可能である。そのため、一般にパーソナルコンピュータなどのデジタルデータ処理システムがマルチメディアデータの処理プラットフォームとしてよく使用された。
【０００４】
しかし現在、画像信号の伝送に最もよく使用されている画像伝送システムは、やはり従来のテレビシステムであった。従来のテレビシステムは、アナログ方式により画像信号を有線方式または無線方式により各端末へ伝送する。この端末は、例えば陰極線管（Cathode Ray Tube：ＣＲＴ）や液晶（liquid crystal）などの表示装置といった一般のアナログビデオの受信再生装置である。現在使用されているアナログビデオの規格にはＮＴＳＣ（National Television System Committee）、ＰＡＬ（Phase Alternating Line）およびＳＥＣＡＭ（System Electronique Couleur Avec Memoire）の三種類がある。
【０００５】
テレビシステムはアナログ信号システムに属し、デジタルデータ処理システムはデジタル信号システムに属するため、データの伝送およびコミュニケーションを直接行うことはできなかった。そのため、テレビシステム中のビデオクリップおよびデジタルデータ処理システム中のマルチメディアデータを整合させることは困難であり、テレビシステム中の画像ビデオをデジタルデータ処理システムのマルチメディアとして整合するソースにすることはできなかった。
【０００６】
また、ユーザがアナログ画像やデジタル画像を視聴したり応用したりするとき、アナログやデジタルのビデオシステムには必ず一組づつ設置する必要があるため、多くのコストと使用空間とが浪費された。
【０００７】
図１は、従来のビデオデータ処理構造１００を示すブロック図である。アナログビデオデータソース１１０は、外部からのアナログビデオデータを提供し、ビデオデコーダ１２０によりアナログビデオデータソース１１０が提供するアナログビデオデータをデジタルビデオデータへ変換する。変換後のデジタルビデオデータ中にはビデオ画像の品質を下げるノイズデータが含まれているため、デジタルビデオデータがデジタルデータ処理システム１４０に入力される前に、ノイズ除去回路１３０を利用してデジタルビデオデータ中のノイズデータを除去することにより、デジタルデータ処理システム１４０が処理する画像品質を確保する。
【０００８】
ただしビデオデータ処理構造１００には依然として欠点があった。例えばこの構造は、アナログビデオデータソース１１０、ビデオデコーダ１２０、ノイズ除去回路１３０およびデジタルデータ処理システムなどの各要素がハードウェア回路で構成されているため、全体構造の製作コストは高かった。また、ハードウェア回路により構成されたノイズ除去回路１３０もパラメータで調整する柔軟性を有していなかったため、ノイズ除去回路１３０を能動的に調整して異なる強度のノイズを除去することは困難であった。また、デジタルデータ処理システム１４０自体も、例えばデジタルデータ処理システム１４０の記憶ユニット（図示せず）内に保存したデジタルビデオデータなどのように、一部のデジタルビデオデータは保存することが可能であったが、この構造では、記憶ユニット内に保存されたデジタルビデオデータはノイズ除去回路１３０でノイズデータを除去することが出来ないため、その機能は限定されていた。上述したことから分かるように、低コスト、高品質、高柔軟性および多機能などの特徴を備えたビデオデータ処理構造が求められていた。
【発明の開示】
【発明が解決しようとする課題】
【０００９】
本発明の第１の目的は、アナログビデオデータおよびデジタルビデオデータを処理するビデオデータ処理構造を提供することにある。
本発明の第２の目的は、低コストおよび高品質のビデオデータ処理構造を提供することにある。
本発明の第３の目的は、ノイズ除去パラメータを柔軟に調整するビデオデータ処理構造を提供することにある。
本発明の第４の目的は、内部および外部のビデオデータのノイズを除去するビデオデータ処理構造を提供することにある。
【課題を解決するための手段】
【００１０】
上述の目的を達成するため、本発明のビデオデータ処理システムはデジタルデータ処理システムおよびビデオデコーダを備える。ビデオデコーダは、データ伝送インタフェースおよびデジタルデータ処理システムに接続される。このビデオデコーダは、先ず外界からのアナログビデオデータをデジタルビデオデータへ変換してから、これらのデジタルビデオデータをデータ伝送インタフェースによりデジタルデータ処理システム中へ入力する。
【発明の効果】
【００１１】
デジタルデータ処理システム中にはノイズ除去プログラムが含まれているため、データ伝送インタフェースにより入力されたデジタルビデオデータは、先ずノイズ除去プログラムにより処理されることにより、デジタルビデオデータ中の不必要なノイズデータが除去され、デジタルデータ処理システムにより表示および処理されるデジタル画像の品質を向上させることができる。
【発明を実施するための最良の形態】
【００１２】
本発明は、デジタルデータ処理システム内にアナログビデオデータの処理機能を加えることにより、このデジタルデータ処理システムがデジタル画像データの処理および再生を行う以外に、アナログ画像データの処理および再生もできるようにする。そして、デジタルデータの処理が容易であるという特徴を利用して、デジタルデータ処理システム中の特定のソフトウェアプログラムにより各デジタル画像データ中の不必要なノイズデータを除去し、最も少ない費用で最高の画像品質を得ることができるようにする。
【００１３】
図２は、本発明の一実施形態によるアナログビデオデータソース２１０、ビデオデコーダ２２０およびデジタルデータ処理システム２４０の三つの部分を含むビデオデータ処理構造２００を示すブロック図である。本実施形態は図１に示すビデオデータ処理構造１００と異なり、ビデオデータ処理構造２００にはノイズ除去回路の部分が無いため、コストを下げることができる。
【００１４】
アナログビデオデータソース２１０はアナログビデオ信号を提供するために用いられ、アナログビデオ規格に合致するアナログビデオ設備は全てアナログビデオデータソース２１０にすることができる。ここで述べるアナログビデオ規格とは、一般のＮＴＳＣ、ＰＡＬまたはＳＥＣＡＭ規格である。図２に示すアナログビデオデータソース２１０は三種類のアナログビデオ設備であり、それには一般のホームビデオレコーダなどのアナログビデオレコーダ２１２と、一般の大型または小型のカメラレンズなどのアナログ撮影装置２１４と、一般のテレビ信号を受信するアンテナなどのアナログビデオアンテナ２１６とが含まれる。アナログビデオアンテナ２１６は、受信したアナログテレビ信号を復調器（図示せず）へ伝送するために用いられ、この復調器は復調するときにアナログビデオデータを出力する。
【００１５】
続いて、アナログビデオデータソース２１０からのアナログビデオデータをアナログ信号からデジタル信号へ変換することにより、デジタルデータ処理システム２４０により処理することができ、この変換作業はビデオデコーダ２２０により行われる。そのため、ビデオデコーダ２２０はアナログ信号をデジタル信号へ変換する機能を備える。ビデオデコーダ２２０へ入力されるアナログビデオの規格は、上述のＮＴＳＣ、ＰＡＬまたはＳＥＣＡＭ規格でもよく、ビデオデコーダ２２０から出力されたデジタルビデオ規格はＭＤＡ（Monochrome Display Adapter）、ＣＧＡ（Color Graphic Adapter）、ＨＧＡ（Herculus Graphic Adapter）、ＥＧＡ（Enhanced Graphic Adapter）、ＶＧＡ（Video Graphic Adapter）またはＳｕｐｅｒ  ＶＧＡなどの一般のデジタルビデオ規格である。
【００１６】
アナログビデオデータがデジタルビデオデータへ変換されると、これらデジタルビデオデータはデジタルデータ処理システム２４０中へ入力されて処理される。デジタルデータ処理システム２４０は、一般のパーソナルコンピュータまたはノートブック型コンピュータにより構成されてもよいため、例えばパーソナルコンピュータシステムのＰＣＩインタフェースやＵＳＢインタフェースなどのデータ伝送インタフェース２４２を利用して外部ユニットとコミュニケーションすることもできる。つまり、ビデオデコーダ２２０から出力されたデジタルビデオデータは、デジタルデータ処理システム２４０中のデータ伝送インタフェース２４２によりデジタルデータ処理システム２４０中へ入力されるということである。
【００１７】
アナログ信号は、例えば画像取り込み、信号伝送または信号変換を行うときにビデオデータ中に不必要なノイズデータを発生させるなど、様々な要因による影響を受けるためノイズが発生しやすかった。そのため、アナログビデオデータをデジタルビデオデータへ変換した後にも存在するノイズデータは、最終的に得られるビデオ画像の品質を下げた。そのため、構造中にこれらのノイズデータを除去するシステムを加える必要があった。
【００１８】
本実施形態は、デジタルデータ処理システム２４０中で執行されるノイズ除去プログラム２４４をノイズデータの除去システムにする。ノイズ除去プログラム２４４は特定の演算法を執行することにより、デジタルビデオデータ中に含まれるノイズデータを除去することができる。ノイズ除去プログラム２４４は、複雑で強力な機能を備える特定演算法によりノイズデータを除去するため、図１に示すノイズ除去回路１３０の速度にも劣らず、デジタルビデオデータのノイズを除去することができる。本実施形態のノイズ除去プログラム２４４は、従来のノイズ除去回路１３０のノイズ除去能力よりも優れ、ソフトウェアによりノイズ除去プログラム２４４中にある一部の操作パラメータを簡単に変えて、ノイズ除去プログラム２４４のノイズ除去能力を上げたり下げたりすることにより、画像品質を実際の要求へ近づけることができる。ノイズ除去プログラム２４４はリアルタイム（real-time）で処理できる特性を有するため、パーソナルコンピュータにおけるリアルタイムの環境においても実行することができるとともに商業上の要求にも合致する。
【００１９】
ノイズ除去プログラム２４４により処理した後、必要なデジタルビデオデータを得ることができるため、これらのデジタルビデオデータはデジタルデータ処理システム２４０中の表示ユニット２４６や記憶ユニット２４８へ伝送することができる。表示ユニット２４６へ伝送されると、これらのデジタルビデオデータは直ちにデジタル画像へ変換されて表示される。デジタルビデオデータが記憶ユニット２４８へ伝送されると、これらのデジタルビデオデータはデジタルデータ処理システム２４０のデータ記憶装置中へ先ず保存されて後続処理を待つ。ここで述べる後続処理には、例えばこれらのデジタルビデオデータを記憶ユニット２４８から表示ユニット２４６へ伝送して表示する処理や、これらのデジタルビデオデータをノイズ除去プログラム２４４へループバックしてから再除去する処理が含まれる。このループバック特性を利用することにより、記憶ユニット２４８中へ保存することができるが、データ伝送インタフェース２４２を利用しなくてもデジタルデータ処理システム２４０のデジタルビデオデータをノイズ除去プログラム２４４により処理して、デジタルデータ処理システム２４０中のデジタルビデオデータの品質を向上させることができる。
【００２０】
本発明では好適な実施形態を前述の通り開示したが、これらは決して本発明を限定するものではなく、当該技術を熟知するものなら誰でも、本発明の主旨と領域を脱しない範囲内で各種の変更や修正を加えることができる。従って本発明の保護の範囲は、特許請求の範囲で指定した内容を基準とする。
【図面の簡単な説明】
【００２１】
【図１】従来のアナログ／デジタルビデオデータ処理システムを示すブロック図である。
【図２】本発明の一実施形態によるアナログ／デジタルビデオデータ処理システムを示すブロック図である。
【符号の説明】
【００２２】
２００  ビデオデータ処理構造、２１０  アナログビデオデータソース、２１２  アナログビデオレコーダ、２１４  アナログ撮影装置、２１６  アナログビデオアンテナ、２２０  ビデオデコーダ、２４０  デジタルデータ処理システム、２４２  データ伝送インタフェース、２４４  ノイズ除去プログラム、２４６  表示ユニット、２４８  記憶ユニット
【図１】
2006140983.tif 000003
【図２】
2006140983.tif 000004